(57)【要約】      （修正有）【課題】再利用する際のコストを低く抑えて、繰り返し使用することができるフレキシブルコンテナバッグを提供する。【解決手段】フレキシブルコンテナバッグ１は、胴部２と、筒状の投入部３と、底部４と、矩形状の補強布片７と、一端を補強布片７と胴部側面とに縫着され、他端を該補強布片７に隣接する他の補強布片７とその直上の胴部側面に縫着された胴部、底部よりも厚い生地により形成された吊りベルト８とを備えている。フレキシブルコンテナバッグ１はさらに、補強生地枠９を備えており、補強生地枠９は隣り合う矩形状の補強布片７を頂点としてこれらを結ぶ幅１０ｃｍ〜２０ｃｍの、底部よりも厚い生地により形成され、かつ、補強生地枠の内側の対角の長さは底部の対角の長さの半分以上であり、かつ枠の内周に閉曲線状に底部に縫着されているとともに、補強布片と吊りベルト８を介して直下の底部４とも縫着されている。【選択図】図１
2009143583.tif 000002
【特許請求の範囲】
【請求項１】
胴部と、該胴部の上端周縁部に縫合された筒状の投入部と、上記胴部の下端周縁部に縫合された幅約１ｍの底部と、底部の中心から等角度間隔の底部位置に配置された矩形状の補強布片とを備えるフレキシブルコンテナバッグにおいて、
一端を補強布片と胴部側面とに縫着され、他端を該補強布片に隣接する他の補強布片とその直上の胴部側面に縫着された胴部、底部よりも厚い生地により形成された吊りベルトと、
隣り合う矩形状の補強布片を経由してこれらを結ぶ幅１０ｃｍ〜２０ｃｍの、底部よりも厚い生地により形成された補強生地枠であって、補強生地枠の内側間隔の幅は底部の幅の半分以上であり、かつ枠の内周に閉曲線状に底部に縫着されているとともに、補強布片と吊りベルトを介して直下の底部とも縫着されていることを特徴とするフレキシブルコンテナバッグ。
【請求項２】
胴部と、該胴部の上端周縁部に縫合された筒状の投入部と、上記胴部の下端周縁部に縫合された対角長さ約１ｍの底部と、底部の中心から等角度間隔の底部位置に配置された矩形状の補強布片とを備えるフレキシブルコンテナバッグにおいて、
一端を補強布片と胴部側面とに縫着され、他端を該補強布片に隣接する他の補強布片とその直上の胴部側面に縫着された、底部よりも厚い生地により形成された吊りベルトと、
隣り合う矩形状の補強布片を頂点としてこれらを結ぶ幅１０ｃｍ〜２０ｃｍの、底部よりも厚い生地により形成された補強生地枠であって、補強生地枠の内側間隔の幅は底部の対角の幅の半分以上であり、かつ枠の内周縁から数センチの外側に閉曲線状に連続的に底部に縫着されているとともに、補強布片と吊りベルトを介して直下の底部とも縫着された、底部よりも厚い生地により形成された補強生地枠と、
補強生地枠の内周形状よりも大きい再生用生地であって、補強生地枠を縫着した箇所よりもさらに数センチの周囲に渡って閉曲線状に連続して底部の内側から縫着された再生用生地とからなることを特徴とするフレキシブルコンテナバッグ。
【請求項３】
胴部と該胴部の上端周縁部に縫合された筒状の投入部と、
上記胴部の下端周縁部に縫合された対角長さ約１ｍの底部と、
底部の中心から等角度間隔の底部位置に配置された矩形状の補強布片と
一端を補強布片と胴部側面とに縫着され、他端を該補強布片に隣接する他の補強布片とその直上の胴部側面に縫着された、底部よりも厚い生地により形成された吊りベルトと、
隣り合う矩形状の補強布片を頂点としてこれらを結ぶ幅１０ｃｍ〜２０ｃｍの、底部よりも厚い生地により形成された補強生地枠であって、補強生地枠の内側間隔の幅は底部の幅の半分以上であり、かつ枠の内周縁から数センチの外側に閉曲線状に渡って連続的に底部に縫着されているとともに、補強布片と吊りベルトを介して直下の底部とも縫着された補強生地枠とを備えるフレキシブルコンテナバッグの再生方法において、
補強生地枠の内周形状よりも大きい再生用生地を、補強生地枠の内周より外側の既に閉曲線状に連続して縫着された箇所縫い目よりも数センチの外側の周囲に渡って底部の内側から閉曲線状に連続して縫着することを特徴とするフレキシブルコンテナバッグの再生方法。
【発明の詳細な説明】
【技術分野】
【０００１】
本発明は、再利用可能なフレキシブルコンテナバッグに関する。
【背景技術】
【０００２】
フレキシブルコンテナバッグはセメント、肥料、飼料等の輸送に使用される大型の袋体である。袋体から内容物を取り出す際には、袋体の上面にある紐で縛られた開口部を開いて取り出すものである。
【０００３】
特許文献１には、クレーンやフォークリフト等で吊るしたままで、内容部を取り出せるようにした袋体が開示されている。すなわち、底面部に開口部を設け、内容物の取り出し現場に運搬後、底面部の紐を解いて開口部を開放させて内容物を放出させるものである。
【０００４】
しかしながら、作業者が底面部の下に入って紐を解く作業をしなければならず、その内容物の重みにより紐の締め付けが強く、紐を解くのに手間がかかり、不注意により作業者が落下してくる内容物を浴びてしまう可能性がある。
【０００５】
一方、特許文献２においては、袋体の底を切り取る歯具を有する開封装置を設置し、クレーンやフォークリフト等で吊るし袋体を該歯具の位置へもって行き、底を切り取って内容物を取り出すものが開示されている。
【０００６】
ここにおいて、この袋体は、内袋と外袋の２重構造を持ち、該内袋と外袋との間に底補強シートをはさむ形でセットし、内容物をフレキシブル容器に充填し、底補強シート及び内袋を切断して内容物を放出させるものである。
【０００７】
特許文献２に開示された袋体は、外袋は繰り返し使用できるかもしれないが、少なくとも内袋と底補強シートは歯具により切断されてしまうため破棄処理しなければならない。また、内袋と外袋が縫い合わされていると、分離する作業も生じこれに要するコストも無視できない。
【特許文献１】特開２００５?２２７３６公報
【特許文献２】特開２００４?１６１３６７公報
【発明の開示】
【発明が解決しようとする課題】
【０００８】
本発明は、かかる問題点を解決するものであって、再利用する際のコストを低く抑えて、繰り返し使用することができるフレキシブルコンテナバッグを提供するものである。
【課題を解決するための手段】
【０００９】
前記課題を解決するため本発明は、胴部と、該胴部の上端周縁部に縫合された筒状の投入部と、上記胴部の下端周縁部に縫合された対角長さ約１ｍの底部と、底部の中心から等角度間隔の底部位置に配置された矩形状の補強布片とを備えるフレキシブルコンテナバッグにおいて、一端を補強布片と胴部側面とに縫着され、他端を該補強布片に隣接する他の補強布片とその直上の胴部側面に縫着された胴部、底部よりも厚い生地により形成された吊りベルトと、隣り合う矩形状の補強布片を頂点としてこれらを結ぶ幅１０ｃｍ〜２０ｃｍの、底部よりも厚い生地により形成された補強生地枠であって、補強生地枠の内側間隔の幅は底部の対角の長さの半分以上であり、かつ枠の内周に閉曲線状に底部に縫着されているとともに、補強布片と吊りベルトを介して直下の底部とも縫着されていることを特徴とする。
【００１０】
また、本発明による再生方法は、補強生地枠の内周形よりも大きい再生用生地を、補強生地枠の内周より外側の既に閉曲線状に連続して縫着された箇所縫い目よりも数センチの外側の周囲に渡って底部の内側から閉曲線状に連続して縫着することを特徴とする。
【発明の効果】
【００１１】
本発明は上記のごとく構成され、内容物を放出させる際には、底部の補強生地枠より内方箇所に切れ目を入れることにより開口でき、切れ目が補強生地枠で止まり広がることがない。そうして、再生用生地をフレキシブルコンテナバッグの内側から底部に当て、補強生地枠部分に縫い付け、底部が閉じた状態にし、再利用することができる。その際、補強生地枠内に再生用生地を縫着することにより、縫合部が強固に固定され、簡易且つ安価に再利用することができる。
【発明を実施するための最良の形態】
【００１２】
以下、図面に示す実施の形態について説明する。図１は本発明に係るフレキシブルコンテナバッグの斜視図、図２は図１の底面図、図３は図２のＡ?Ａ線断面図である。
【００１３】
本実施例のフレキシブルコンテナバッグ１は、胴部２と投入部３と底部４とを備えており、約１トンの内容物を入れる大きさである。胴部２は図示例では円筒形であるが、角筒状に形成することも可能である。フレキシブルコンテナバッグ１を構成する胴部２と投入部３と底部４は、帯状の合成樹脂繊維を縦、横に織った製材生地によって構成される。
【００１４】
投入部３は、胴部２の上端周縁部に縫合された筒体で、上部に投入口３ａを有する。また、投入部３は縛り紐５で結束することにより封止可能である。セメント、肥料、飼料等のストレージヤードにおいて、ロート状の落下口を有するホッパの口に、投入口３ａを外装して、フレキシブルコンテナバッグ１の中にセメント、肥料、飼料等を収容する。
【００１５】
底部４は、フレキシブルコンテナバッグ１の底前面の大きさを持つ１枚のシートであり、胴部２の下端部の周縁と縫合されている。
【００１６】
底部４には、底部中央０から等角度間隔に４枚の１辺１８ｃｍの矩形の補強布片７がその各縁部を縫着されている。補強布片７の内側の辺は、胴部２の幅Ｌに対して半分の中心間距離Ｌとなる位置に縫着されている。胴部２には、各補強布片７の直上位置に矩形の補強布片６が縫着されている。等角度間隔に設けられた補強布片６、７を上下に接続するように吊りベルト８が設けられている。吊りベルト８は幅１０ｃｍであり、その一端が、補強布片６或いは７を介して胴部２或いは底部４に縫着されている。補強布片６或いは７と吊りベルト８とが重なる矩形の４辺の近傍の連続した閉曲線状に縫い付けるとともに、その対角線状に縫い付けている。吊りベルト８の他端は、隣り合う補強布片６、７に配置されており、同様に胴部２、底部４に縫い付けられている。
【００１７】
本実施例に於いては、底部４の４箇所に縫着された補強布片７を通るように、より好ましくは補強布片７を頂点としてこれらを結ぶように、底部４上に方形に補強生地枠９が縫着されている。この縫着は、補強生地枠９の内周から数センチメートルのところを閉曲線状に連続して底部に縫着する。また、補強生地枠９の外周から数センチメートル内側のところも閉曲線状に連続して底部に縫着する。図２を参照すると、補強生地枠９は、補強布片７の半分以上の表面積を覆うようにされており、補強布片７及び吊りベルト８、底部４に縫着されている。
【００１８】
本実施例の底部４は、その幅（中心を通る長さ）Ｒは約１ｍ（±２０％）であり、補強生地枠９の開口は対角内側の間隔長さＬが５０ｃｍとされている。補強布片７の位置における補強生地枠９の内側の幅（中心を通る長さ、対角線長さ）Ｌは底部４の幅Ｒの１／２とする。補強生地枠９の幅寸法ｔは１０ｃｍ〜２０ｃｍであり、吊りベルト８の幅と同程度かそれよりも大きい。
【００１９】
本実施例のように、隣り合う補強布片７を吊りベルト８の幅と同程度の幅の補強生地枠９で連結するのは、対向する補強布片７の間を吊りベルト８を連結して底部４を支えるのと同程度以上の支持強度を得るためである。本実施例によれば、補強生地枠９の面積が、補強生地枠９の対角線を吊りベルト８で結んだ際の吊りベルト８の面積よりも、１．４倍程度増加する。
【００２０】
各部材の生地の厚さは、胴部2、底部４、補強布片６、７は、同じ厚さのものがもちいられるが、吊りベルト８及び補強生地枠９はこれらよりも厚い生地により形成されている。また、吊りベルト８と補強生地枠９は、同じ厚さの生地を用いることが製造上好ましい。
【００２１】
図１−図２に於いて、補強生地枠９は方形のものを示したが、図３に示すごとく、円形の補強生地枠１０を縫着してもよい。円形の補強生地枠１０は、補強布片７を円周上に配置する。この場合においても、補強生地枠９の幅は、１０ｃｍ〜２０ｃｍ程度であり、その内側の間隔幅（直径）Ｌは、底部４の幅（直径）Ｒの１／２以上である。そして、補強生地枠１０は、補強布片７の半分程度或いはそれ以上の表面積を覆うようにされており、補強布片７及び吊りベルト８、底部４に縫着されている。
【００２２】
次に使用例について説明する。投入口３ａより内容物を詰め込み、縛り紐５で結束することにより封止し、目的の場所に輸送する。内容物を目的の場所に放出するには、クレーンやフォークリフト等のフックで吊りベルト８を吊るし、袋体を放出位置の直上へ位置付ける。そして、作業員は底部４の補強生地枠９より内方箇所にカッターにより、切れ目を入れて開口させる。作業員は、カッターで十字状の切れ目を入れる間、底部４の下方に手を差し入れる必要があるが、切れ目を入れる作業自体に要する時間は短いため、内容物を浴びてしまうことを避けることができる。
【００２３】
また、カッターは、手持ちの道具であり、内容物の放出位置に特別な開封装置を設置する必要もない。尚、本実施例では、十字状の切れ目を入れて開口を設けているため、補強生地枠９の内側間隔の長さは直径Ｒの１／２以上とするのであり、これよりも小さな開口を空けるとするならば、十字状の開口ではなく、円などの閉曲線の開口とする必要がある。さもないと、内容物が重力で自然落下させることができない。一方、閉曲線の開口とすると、底部４の一部が閉曲線状に脱落することになり、脱落した部分が廃棄物となってしまう。
【００２４】
つまり、切り込みにより作られた切れ目１１は、補強生地枠９の内側いっぱいまで広がる開口を設けることはなく、図５に示すように垂れ下がった状態の開口となるため、内容物を落下により取り出すには、補強生地枠９の内周位置は底部２の１／２とする必要があるのである。
【００２５】
作業員は、フレキシブルコンテナバッグ1を開封する際には、内容物の飛散がら免れるために、カッターにより切れ込みを入れる範囲において大きく切り裂くことが期待できない。しかしながら、補強生地枠９が底部２の外側に縫着されており、一応の切り込み位置の目安となるほか、急いで切り込みを入れても補強生地枠９が底部２を保護し、補強生地枠９の範囲に入るように切り込みは物理的に抑止される。
【００２６】
また、底部４は補強生地枠９の縁部に沿って縫着されており、補強生地枠９より内側にカッターにより切れ目を入れても、内容物の重量により切れ目が補強生地枠９の縫着位置よりも広がることもない。
【００２７】
再利用の方法について説明する。図４は開封したフレキシブルコンテナバッグの斜視図、図５は図４のＢ?Ｂ線断面図である。図６は、再生処理したフレキシブルコンテナバッグ１の底面を示す図である。
【００２８】
図４に示すように、１度使用したフレキシブルコンテナバッグ１は底部４に切れ目１１があり、底部４が開口している。切れ目１１は、補強生地枠９の縫い目よりも内側の位置よりも広がることは無い。そこで、再生用生地１２をフレキシブルコンテナバッグ１の内側から底部４に当てる。再生用生地１２は、補強生地枠９の内側の形状よりも大きなものとされるが、より好ましくは補強生地枠９の外形と同じかやや大きいものが使用すれば、再再の利用の回数によって大きさの異なる種類のものを用意する必要がない。
【００２９】
再生用生地１２は、底部４、補強布片７、吊りベルト８を通して縫い付けられるが、縫い付け位置は、底部４が補強生地枠９に再生前に縫い付けられていた縁付近の周囲Ｐの内方の端部から１ｃｍ?３ｃｍ外方の周囲Ｑに沿って閉曲線状に連続して縫い付ける。このように補強生地枠９の周囲Ｐの内側に再生用生地１２を縫着することにより、切れ目１１による広がりの影響の無い部分に強固に再生用生地１２を固定することができる。
【００３０】
このように再生されたフレキシブルコンテナバッグ１は、その使用においては、補強生地枠９内がカッターにより切断されて開封されるものである。この場合において、内側から再生用生地１２を縫い付けているため、作業者は切断位置を容易に把握することができる。
【００３１】
そして、再度再生する際には、再生用生地１２ａを周囲Ｑの内方の端部から１ｃｍ?３ｃｍ外方の周囲Ｒに沿って縫い付ける。このように補強生地枠９の周囲Ｑの内側Ｒに再生用生地１２を縫着することにより、切れ目１１による可能性のある広がりの影響の無い部分に強固に再生用生地１２ａを固定することができる。
【００３２】
その後の再生は、同様に内側へ内側へと縫い付ける位置をずらして行く。この結果、補強生地枠９の幅の分繰り返して、再生することができるものとなる。例えば、２ｃｍずつ内側に縫い付けて行くとすると、補強生地枠９の幅が１０ｃｍであると４回程度再生することができる。また、再生を繰り返す最中では、廃棄される部分がなく、最終処分をするにしても、最後の１回のみでよいことになる。
【００３３】
１トン程度の内容物を収容できるフレキシブルコンテナバッグは、１０００円程度であり、これを使い捨てにすると最終処分するのに３００円を要する。内容物の価格も、５０００円〜１万円の場合が多く、かつ石油製品の価格が高騰している現在においては、使い捨てにする容器としては無駄が大きいものである。本実施例によれば、処分コストはもとより環境への負荷が少ないフレキシブルコンテナバッグを提供することができる。
【図面の簡単な説明】
【００３４】
【図１】本発明に係るフレキシブルコンテナバッグの斜視図である。
【図２】図１の底面図である。
【図３】他の例の底面図である。
【図４】使用したフレキシブルコンテナバッグ１の斜視図である。
【図５】再生をする状態を示す図である。
【図６】再生したフレキシブルコンテナバッグ１の底面図である
【符号の説明】
【００３５】
１  フレキシブルコンテナバッグ
２  胴部
３  投入部
４  底部
５  縛り紐
６  補強布片
７  補強布片
８  吊りベルト
９  補強生地枠
１０  補強生地枠
１１  切れ目
１２  再生用生地
【図１】
2009143583.tif 000003
【図２】
2009143583.tif 000004
【図３】
2009143583.tif 000005
【図４】
2009143583.tif 000006
【図５】
2009143583.tif 000007
【図６】
2009143583.tif 000008